(57)【特許請求の範囲】
【請求項１】
電力線に高周波信号を重畳して信号の送受信を行う電力線通信システムであって、
前記電力線に対して送信すべき信号を重畳し、受信すべき信号を抽出するためのインジェクション部を備え、
前記インジェクション部は、２つのコアを備え、
前記各コアは、前記電力線の外周に係合する筒状体であって、その一部に軸方向に延びる切欠き部を備え、前記各切欠き部のギャップ間隔が夫々異なるものであり、
前記インジェクション部が、前記各コアの切り欠き部の周方向位置を相対的に９０度以上ずらしたものであることを特徴とする電力線通信システム。
【請求項２】
電力線に高周波信号を重畳して信号の送受信を行う電力線通信システムであって、
前記電力線に対して送信すべき信号を重畳し、受信すべき信号を抽出するためのインジェクション部を備え、
前記インジェクション部は、少なくとも２つ以上のコアを備え、
前記各コアは、前記電力線の外周に係合する筒状体であって、その一部に軸方向に延びる切欠き部を備え、前記各切欠き部のギャップ間隔が夫々異なるものであり、
前記各コアを介して前記電力線と磁気結合する信号線と、計時手段と、前記信号線を選択する信号線選択部と、制御部と、を更に備え、
前記制御部は、前記電力線に信号を重畳する場合、前記計時手段により計時した時刻に基づいて前記信号線選択部により信号線を選択し、該選択した信号線に前記信号を供給することを特徴とする電力線通信システム。
【請求項３】
前記制御部は、前記計時手段が前記電力線に流れる電流値が大きくなる時刻であること検出した場合、前記切り欠き部のギャップ間隔が大きいコアの信号線を選択し、前記電流値が小さくなる時刻であること検出した場合、前記切り欠き部のギャップ間隔が小さいコアの信号線を選択し、該選択した信号線に前記信号を供給することを特徴とする請求項２に記載の電力線通信システム。
【請求項４】
電力線に高周波信号を重畳して信号の送受信を行う電力線通信システムであって、
前記電力線に対して送信すべき信号を重畳し、受信すべき信号を抽出するためのインジェクション部を備え、
前記インジェクション部は、少なくとも２つ以上のコアを備え、
前記各コアは、前記電力線の外周に係合する筒状体であって、その一部に軸方向に延びる切欠き部を備え、前記各切欠き部のギャップ間隔が夫々異なるものであり、
前記各コアを介して前記電力線と磁気結合する信号線と、前記電力線に流れる電流値を測定する電流値測定手段と、前記信号線を選択する信号線選択部と、制御部と、を備え、
前記制御部は、前記電力線に信号を重畳する場合、前記電流値測定手段により前記電力線に流れる電流値を測定し、該測定した電流値に応じて前記信号線選択部により信号線を選択し、該選択した信号線に前記信号を供給することを特徴とする電力線通信システム。
【請求項５】
前記制御部は、前記電流値測定手段により測定した電流値が所定の値を超過したと判断した場合、前記切り欠き部のギャップ間隔が大きいコアの信号線を選択し、前記電流値が所定の値を下回ったと判断した場合、前記切り欠き部のギャップ間隔が小さいコアの信号線を選択し、該選択した信号線に前記信号を供給することを特徴とする請求項４に記載の電力線通信システム。
【発明の詳細な説明】
【技術分野】
【０００１】
本発明は、電力線通信システムに関し、さらに詳しくは、複数の電力線に高周波信号を磁気結合して、送信すべき信号を重畳し受信すべき信号を抽出するインジェクション部に関するものである。
【背景技術】
【０００２】
家庭内に引き込まれている電力線を用いた通信システムを構築する場合、高周波信号（２ＭＨｚ〜３０ＭＨｚの周波数帯）を電力線に重畳させる手段が必要となる。その場合の基本構成として図１０に示すようなフェライトコア５１を用いてインジェクションする方法がある（特許文献１参照）。この方法は、家庭内に引き込まれている電力線５０のそれぞれにフェライトコア５１を用いて電力線５０と信号線５２とを挟み込み、モデム５３から信号線５２を介して送信した高周波信号を磁気結合により電力線５０に重畳するものである。またモデム５３が高周波信号を受信する場合は、電力線５０に重畳された高周波信号は、表皮効果により電力線５０の表面に現れるので、信号線５２を電力線５０の表面に挟み込むようにすれば、その間の磁気結合力により高周波信号のみを取り出すことができる。
【０００３】
尚、日本の配電システム（ＴＴシステム）では、２本の電力線と大地に設置された中性線の３本の電力線から構成されている。従って、電力線に重畳された高周波信号は必ず中性線と他の電力線の一方に重畳されるので、１００Ｖの商用電源にモデムを接続すれば必ず高周波信号を受信することができる。
【０００４】
図１１は、日本の配電システムに採用されているＴＴシステムの概念図である。柱上トランス４０の２次側は中点が接地線４１により大地に接地されている。従って、トランス４０の両端（電力線４２と４３の間）の電圧は２００Ｖであるが、中性線４４との間では夫々１００Ｖとなる。そして、その３線電力線は図示しない電力会社のブレーカを介して、需要家内の電力量計４９により電力が積算されて分電盤４５に入り、各ブレーカ４５ａ、４５ｂ、４５ｃを介して各家電機器４６、４７、４８に供給される。従って、例えば家電機器４６がＰＣであれば、電力線４２と中性線４４に重畳された高周波信号をＰＣ内のモデムが受信して通信を行うことができる。
【特許文献１】特開２００４−０３２５８５公報
【発明の開示】
【発明が解決しようとする課題】
【０００５】
しかしながら、マンション等の集合住宅では、時間帯により電力線に流れる電流値が大幅に変動する。例えば、昼間では家電機器が稼動している時間帯であるため、電流値が多く、夕方から夜にかけては照明を一斉に点灯するため更に電流値が多くなりピークを迎える。そして、各家庭が消灯して就寝する時間帯は、電流値が最小になる。そのため、一戸建て住宅と異なり電流の変動幅が大きいので、インジェクション部のコアがピーク時の電流により磁気飽和しないように、コアに切り欠き部（ギャップ）を設けている。しかし、ギャップ幅を広くすればコアは飽和しにくいが、信号を注入する量（時間当たりのデータ量）が減少し、狭くすると信号の注入量は増加するが、コアが飽和しやすくなってしまうといった問題がある。
また、特許文献１に開示されている従来技術は、コアにギャップを設けていないため、電流値によってはコアが磁気飽和を起こして、信号を十分注入できないといった問題がある。
【０００６】
本発明は、かかる課題に鑑み、インジェクション部に使用されるコアのギャップ形状を電力線に流れる電流値の大小に対応できる構成とすることにより、電流値に左右されることなく一定の信号注入が可能な電力線通信システムを提供することを目的とする。
【課題を解決するための手段】
【０００７】
本発明はかかる課題を解決するために、請求項１は、電力線に高周波信号を重畳して信号の送受信を行う電力線通信システムであって、前記電力線に対して送信すべき信号を重畳し、受信すべき信号を抽出するためのインジェクション部を備え、前記インジェクション部は、少なくとも２つ以上のコアを備え、前記各コアは、前記電力線の外周に係合する筒状体であって、その一部に軸方向に延びる切欠き部を備え、前記各切欠き部のギャップ間隔が夫々異なるものであり、前記各コアの切り欠き部の周方向位置を相対的に９０度以上ずらしたことを特徴とする。
電力線通信システムに使用されるインジェクション部の基本構成は、コアと信号線である。そしてコアには、電力線に流れる電流により磁気飽和を起こさないように切り欠き部が設けられている。また、切り欠き部のギャップ間隔の大きさにより飽和の仕方が異なり、ギャップ間隔が大きいほど飽和はしづらくなるが、データの注入量は少なくなる。そこで本発明では、夫々のコアの切り欠き部のギャップ間隔の大きさを異なるようにすると共に、コアの切り欠き部からは磁界が外部に漏洩する。従って、漏洩した磁界が隣接するコアに影響を与えないためには、切り欠き部の位置を離す必要がある。そこで本発明では、隣接する切り欠き部を９０度以上異なる位置に配置するものである。
【０００９】
請求項２は、前記各コアを介して前記電力線と磁気結合する信号線と、計時手段と、前記信号線を選択する信号線選択部と、制御部と、を備え、前記制御部は、前記電力線に信号を重畳する場合、前記計時手段により計時した時刻に基づいて前記信号線選択部により信号線を選択し、該選択した信号線に前記信号を供給することを特徴とする。
電力線に流れる電流値は時間帯により異なる。例えば、マンション等の集合住宅では、朝、昼、夜、深夜で大きく電流値が異なり、その傾向は年間通じて大きく変わるものではない。そこで本発明では、このような傾向を事前に把握し、各時間帯における電流値を想定して、その電流値に応じた信号線を選択するものである。
【００１０】
請求項３は、前記制御部は、前記計時手段が前記電力線に流れる電流値が大きくなる時刻であること検出した場合、前記切り欠き部のギャップ間隔が大きいコアの信号線を選択し、前記電流値が小さくなる時刻であること検出した場合、前記切り欠き部のギャップ間隔が小さいコアの信号線を選択し、該選択した信号線に前記信号を供給することを特徴とする。
電力線の電流値が大きい場合、コアが磁気飽和しやすくなるため、切り欠き部のギャップ間隔を大きくする必要がある。また、逆に電力線の電流値が小さい場合、コアが磁気飽和しにくくなるため、切り欠き部のギャップ間隔を小さくしてデータ注入量を増やす必要がある。そこで本発明では、事前に時間帯と電流値の関係を調べておき、電流値が大きい時間帯の場合、切り欠き部のギャップ間隔が大きいコアの信号線を選択し、電流値が小さい時間帯の場合、切り欠き部のギャップ間隔が小さいコアの信号線を選択するものである。
【００１１】
請求項４は、前記各コアを介して前記信号を磁気結合する信号線と、前記電力線に流れる電流値を測定する電流値測定手段と、前記信号線を選択する信号線選択部と、制御部と、を備え、前記制御部は、前記電力線に信号を重畳する場合、前記電流値測定手段により前記電力線に流れる電流値を測定し、該測定した電流値に応じて前記信号線選択部により信号線を選択し、該選択した信号線に前記信号を供給することを特徴とする。
本発明は、各コアに個別に信号線を貫通させ、電力線の電流値を測定する手段と、どの信号線に信号を供給するかを選択する選択部とを備える。そして、電流値を測定しながら、その電流値に最適な切り欠き部のギャップ間隔を有するコアを選ぶように信号線を選択して、その信号線に信号を供給する。
【００１２】
請求項５は、前記制御部は、前記電流値測定手段により測定した電流値が所定の値を超過したと判断した場合、前記切り欠き部のギャップ間隔が大きいコアの信号線を選択し、前記電流値が所定の値を下回ったと判断した場合、前記切り欠き部のギャップ間隔が小さいコアの信号線を選択し、該選択した信号線に前記信号を供給することを特徴とする。
電流値測定手段により測定した電流値が所定の値を超えた場合は、コアが磁気飽和しないように切り欠き部のギャップ間隔が大きいコアの信号線を選択する。逆に測定した電流値が所定の値以下の場合は、コアが磁気飽和しづらくなるので、信号注入量を多くするために、切り欠き部のギャップ間隔が小さいコアの信号線を選択する。
【発明の効果】
【００１５】
本発明によれば、各コアは、その一部に切り欠き部を有したループ形状を備え、その切り欠き部のギャップ間隔が夫々異なるので、電力線に流れる電流値の大小に応じて磁気飽和しないコアを使用することができる。
【発明を実施するための最良の形態】
【００１６】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１（ａ）は本発明の第１の実施形態に係るインジェクション部の一部を示す概略構成図の外観図、図１（ｂ）は模式図である。このインジェクション部１００は、ギャップ間隔が小さい切り欠き部５を有するコア３と、コア３を介して信号を磁気結合する信号線８と、ギャップ間隔が大きい切り欠き部６を有するコア１と、コア１を介して信号を磁気結合する信号線７と、を備え、電力線４に巻回すように取り付けられている。そして信号線７、８は電力線４に密着するように備えられ、且つ切り欠き部５と切り欠き部６が同じ位置になるように配置されている。尚、図１（ａ）では、２種類のコアについて図示しているが、更に多くの種類を備えても構わない。また、コア１とコア３を間隔２を設けるように離間することにより、磁気的な相互干渉を減少することができる。
【００１７】
図１（ｂ）は図１（ａ）の構成を模式化して示す図であり、同じ構成要素には図１（ａ）と同じ参照番号を付して説明する。前述したように電力線４に電流Ｉが流れると、その電流値によってはコアが磁気飽和を起こして外部から信号を注入する量が減少してしまう。一般に、ギャップ間隔による電流と信号注入量の関係は、ギャップ間隔が小さい場合は、磁気飽和し易いが信号注入量は大きくなる。また、ギャップ間隔が大きい場合は、磁気飽和しづらいが信号注入量は小さくなる。このような関係から、本実施形態では、少なくとも２つ以上のコアを備え、夫々のコアの切り欠き部のギャップ間隔を異なるようにしたものである。即ち、電流Ｉが大きいときは、ギャップ間隔６が大きいコア１に備えられた信号線７より信号を注入するようにする。また、逆に電流Ｉが小さいときは、ギャップ間隔５が小さいコア３に備えられた信号線８より信号を注入する。尚、電力線４の電流値が外部から判断できない場合は、信号線７、８に常時同じ信号を供給しておく（１本の信号線が両方のコアを通るようにしてもよい）ことにより、電流値により磁気飽和していないコアから信号が自動的に注入されるようになる。
【００１８】
図２（ａ）は本発明の第２の実施形態に係るインジェクション部の一部を示す概略構成図の外観図、図２（ｂ）は模式図である。図２のインジェクション部２００が図１と異なる点は、切り欠き部５と６の位置関係を互いの相対位置が９０度以上異なる角度に配置した点である。即ち、コアの切り欠き部５、６からは磁界が外部に漏洩する。従って、漏洩した磁界が隣接するコアに影響を与えないためには、切り欠き部の位置を極力離すことが望ましい。例えばコアが２つであり間隔２が一定値の場合、電力線４の円周上で互いの切り欠き部５、６の距離が最も離れるのは、相対的位置が１８０度異なる角度に配置した場合である。これにより隣接するコア１、３の干渉を最小限にすることができる。
以上の実施形態は一例であり、切り欠き部を構成する対向する各端縁１ａ、１ｂ又は３ａ、３ｂが直線状であって且つ平行な場合であれば、電力線４の軸方向に対して平行でなくても構わない。
【００１９】
図３（ａ）は本発明の第３の実施形態に係るインジェクション部の一部を示す概略構成図の外観図、図３（ｂ）は模式図である。このインジェクション部３００は、小さいギャップ間隔１３と大きいギャップ間隔１４を有する階段状の切り欠き部を備えたコア１２と、このコア１２を介して信号を磁気結合する信号線１７とを備え、電力線１１に巻回すように取り付けられている。そして信号線１７は電力線１１に密着するように備えられている。
【００２０】
図３（ｂ）は図３（ａ）の構成を模式化して示す図であり、同じ構成要素には図３（ａ）と同じ参照番号を付して説明する。図１及び図２では、異なるギャップ間隔を有する２つのコアによりインジェクション部を構成し、信号線も夫々個別に必要であった。本実施形態では、１つのコアに異なるギャップ間隔を有する階段状の切り欠き部を備え、且つ信号線も１つにしたものである。即ち、コアの切り欠き部の形状を階段状にして、そのコアに１つの信号線１７を備え、電力線１１に流れる電流が大きい場合は、階段状のギャップ間隔が大きい部分１４のコアが働いて信号を注入するようにして、電力線１１に流れる電流が小さい場合は、階段状のギャップ間隔が小さい部分１３のコアが働いて更に多い信号を注入するものである。これにより、１つの信号線１７により電流の大小に関係なく最適な信号量を注入することができる。
以上の実施形態は一例であり、図３（ａ）では、２段の階段状について図示しているが、何段でも構わない。
【００２１】
図４（ａ）は本発明の第４の実施形態に係るインジェクション部の一部を示す概略構成図の外観図、図４（ｂ）は模式図である。このインジェクション部４００は、ギャップ間隔１６がくさび状の切り欠き部を有するコア１５と、このコア１５を介して信号を磁気結合する信号線１８とを備え、電力線１１に巻回すように取り付けられている。そして信号線１８は電力線１１に密着するように備えられている。
【００２２】
図４（ｂ）は図４（ａ）の構成を模式化して示す図であり、同じ構成要素には図４（ａ）と同じ参照番号を付して説明する。図１及び図２では、異なるギャップ間隔を有する２つのコアによりインジェクション部を構成し、信号線も夫々個別に必要であった。本実施形態では、１つのコアに徐々に異なるギャップ間隔を有するくさび状の切り欠き部を備え、且つ信号線も１つにしたものである。即ち、コア１５の切り欠き部の形状をくさび状にして、そのコア１５に１つの信号線を備え、電力線１１に流れる電流が大きい場合は、くさび状のギャップ間隔が大きい部分のコアが働いて信号を注入するようにして、電力線に流れる電流が小さい場合は、くさび状のギャップ間隔が小さい部分のコアが働いて更に多い信号を注入するものである。これにより、連続的な電流値の変動に対して対応することができる。
以上の実施形態は一例であり、切欠き部を構成する対向する各端縁１５ａ、１５ｂが直線状であって非平行の状態で対向し合っている形状であればよい。
【００２３】
図５は本発明の第５及び第６の実施形態に係るインジェクション部のブロック図である。このインジェクション部５００は、各コア２０、２１を介して信号を磁気結合する信号線２４、２５と、時間を計時する図示しない計時手段と、信号線２４、２５の何れかを選択する信号線選択部２６と、電力線２３に流れる電流値を測定する電流値測定手段２２と、制御部２８と、を備えて構成されている。尚、計時手段は制御部２８内のクロック信号を計数することにより可能であり、電流値測定手段２２を内部に備えても良い。
【００２４】
まず、第５の実施形態として、制御部２８は、電力線２３に信号を重畳する場合、計時手段により計時した時間に応じて信号線選択部２６により信号線を選択し、選択した信号線に信号を供給する。図６はこの動作を更に詳しく説明するフローチャートである。電力線２３に流れる電流値は時間帯により異なる。例えば、マンション等の集合住宅では、朝、昼、夜、深夜で大きく電流値が異なり、その傾向は年間通じて大きく変わるものではない。そこで本実施形態では、このような傾向を事前に把握し、各時間帯における電流値を想定して、その電流値に応じた信号線を選択するものである。即ち、制御部２６は内部の計時手段によりギャップ間隔が大きいコア２０の切替時間になったかを判断し（Ｓ１）、その時間でなければ（Ｓ１でＮＯのルート）ギャップ間隔が小さいコア２１に切り替えて（Ｓ２）、信号線２５に多くの量の信号を注入して（Ｓ３）ステップＳ１に戻って繰り返す。一方、ステップＳ１によりギャップ間隔が大きいコア２０の切替時間になった場合（Ｓ１でＹＥＳのルート）、ギャップ間隔が大きいコア２０に切り替えて（Ｓ４）、信号線２４に少ない量の信号を注入して（Ｓ５）ステップＳ１に戻って繰り返す。これにより、簡単な方法により時間に応じて変動する電流変化に最適なコアを選択することができる。尚、冷暖房等の使用によって、季節毎の電力使用形態が変化するような場合は、計時手段に年間カレンダー機能を追加して対応すればよい。
【００２５】
次に、第６の実施形態として、制御部２８は、電力線２３に信号を重畳する場合、電流値測定手段２２により測定した電流に応じて信号線選択部２６により信号線を選択し、選択した信号線に信号を供給する。図７はこの動作を更に詳しく説明するフローチャートである。本実施形態では電流値を測定しながら、その電流値に最適な切り欠き部のギャップ間隔を有するコアを選ぶように信号線を選択して、その信号線に信号を供給するものである。即ち、制御部２６は電流値測定手段２２からの信号２７により電力線２３に流れる電流が所定の値を超過したか否かを判断し（Ｓ１１）、超過していなければ（Ｓ１１でＮＯのルート）ギャップ間隔が小さいコア２１に切り替えて（Ｓ１２）、信号線２５に多くの量の信号を注入して（Ｓ１３）ステップＳ１１に戻って繰り返す。一方、ステップＳ１１により電流が超過した場合（Ｓ１１でＹＥＳのルート）、ギャップ間隔が大きいコア２０に切り替えて（Ｓ１４）、信号線２４に少ない量の信号を注入して（Ｓ１５）ステップＳ１１に戻って繰り返す。これにより、時間帯に関係なく電流値の大小によって最適なコアを選択することができる。
【００２６】
図８はコアの具体的な形状を示す図である。円筒状のコアに電力線を通すためには、配設済みの電力線を一旦取り外してコアを貫通させる必要が生じるため、一般的には断面形状が略半円（Ｕ字）型のコアを２つ組み合わせて使っている。例えば、図８のようにコア３０を収容可能な第１のケース３１に２つの第２のケース３２が互い違いに配置されており、第１のケース３１と第２のケース３２は蝶番３４にて結合されている。そして第２のケース３２には１つのコア３０が収容される。
【００２７】
図９はコアにギャップを設ける方法を説明する図である。図９（ａ）は展開図、（ｂ）は断面図である。図９（ａ）に示すように、コア３０を第１のケース３１、第２のケース３２に収容した上で、第１のケース３１の各コアにギャップを形成するためのスペーサ３７を端縁部に貼付する。また、第２のケース３２の各コアに異なるギャップを形成するためのスペーサ３８を端縁部に貼付する。このスペーサの厚みを異ならせることで、コアのギャップを異ならせることができる。そして、図９（ｂ）のように電力線６０と信号線６１をコア３０の中心に通した上で、第２のケース３２を蝶番３４を中心として回転させて、第１のケース３１にかぶせて止め具３６を係合穴３５に係合することで固定される。
以上の通り図８及び図９のようなケースを用意しておけば、コアを電力線に設置する際の工事が楽になり、作業者のスキルによるばらつきも生じない。
【００２８】
以上の通り本発明によれば、コア１、３は、その一部に切り欠き部６、５を有したループ形状を備え、その切り欠き部６、５のギャップ間隔が夫々異なるので、電力線４に流れる電流値の大小に応じて磁気飽和しないコアを使用することができる。
また、各コア１、３の切り欠き部の向きを互いに９０度以上、望ましくは１８０度異なる角度に配置したので、隣接するコアの干渉を最小限にすることができる。
また、制御部２８は、電力線２３に信号を重畳する場合、計時手段により計時した時間に応じて信号線選択部２６により信号線を選択し、選択した信号線に信号を供給するので、簡単な方法により時間に応じて変動する電流変化に最適なコアを選択することができる。
【００２９】
また、制御部２８は、計時手段により計時した時間が電力線２３に流れる電流値が大きい時間帯の場合、切り欠き部のギャップ間隔が大きいコア２０の信号線を選択し、電流値が小さい時間帯の場合、切り欠き部のギャップ間隔が小さいコア２１の信号線を選択し、選択した信号線に信号を供給するので、電流値に応じた最適なコアを選択することができる。
また、制御部２８は、電力線２３に信号を重畳する場合、電流値測定手段２２により電力線に流れる電流値を測定し、測定した電流値に応じて信号線選択部２６により信号線を選択し、選択した信号線に信号を供給するので、時間帯に関係なく電流値の大小によって最適なコアを選択することができる。
【００３０】
また、制御部２８は、電流値測定手段２２により測定した電流値が所定の値を超過した場合、切り欠き部のギャップ間隔が大きいコア２０の信号線を選択し、電流値が所定の値を下回った場合、切り欠き部のギャップ間隔が小さいコア２１の信号線を選択し、選択した信号線に信号を供給するので、時間帯に関係なく電流値の大小によって最適なコアを選択することができる。
また、インジェクション部３００は、ギャップ間隔が階段状の切り欠き部を有するコア１２と、このコア１２を介して信号を磁気結合する信号線１７と、を備えているので、１本の信号線１７により電流の大小に関係なく最適な信号量を注入することができる。
また、インジェクション部４００は、ギャップ間隔がくさび状の切り欠き部を有するコア１５と、このコア１５を介して信号を磁気結合する信号線１８と、を備えているので、連続的な電流値の変動に対して対応することができる。
【図面の簡単な説明】
【００３１】
【図１】（ａ）は本発明の第１の実施形態に係るインジェクション部の一部を示す概略構成図の外観図、（ｂ）は模式図である。
【図２】（ａ）は本発明の第２の実施形態に係るインジェクション部の一部を示す概略構成図の外観図、（ｂ）は模式図である。
【図３】（ａ）は本発明の第３の実施形態に係るインジェクション部の一部を示す概略構成図の外観図、（ｂ）は模式図である。
【図４】（ａ）は本発明の第４の実施形態に係るインジェクション部の一部を示す概略構成図の外観図、（ｂ）は模式図である。
【図５】本発明の第５、第６の実施形態に係るインジェクション部のブロック図である。
【図６】本発明の第５の実施形態を更に詳しく説明するフローチャートである。
【図７】本発明の第６の実施形態を更に詳しく説明するフローチャートである。
【図８】コアの具体的な形状を示す図である。
【図９】コアにギャップを設ける方法を説明する図であり、（ａ）は展開図、（ｂ）は断面図である。
【図１０】従来のフェライトコアを用いてインジェクションする方法を説明する図である。
【図１１】日本の配電システムに採用されているＴＴシステムの概念図である。
【符号の説明】
【００３２】
１、３  コア、２  間隔、４  電力線、５、６  切り欠き部、７、８  信号線、１００  インジェクション部
【図１】
0004706044.tif 000002
【図２】
0004706044.tif 000003
【図３】
0004706044.tif 000004
【図４】
0004706044.tif 000005
【図５】
0004706044.tif 000006
【図６】
0004706044.tif 000007
【図７】
0004706044.tif 000008
【図８】
0004706044.tif 000009
【図９】
0004706044.tif 000010
【図１０】
0004706044.tif 000011
【図１１】
0004706044.tif 000012